(57)【要約】【課題】運動者が今どのような運動を行うべきかを判断しやすくする。【解決手段】測定装置１０は、測定部１２０及び選択部１４０を備えている。測定部１２０は、運動者の体液（例えば血液）中の糖質濃度及び脂質濃度の少なくとも一方を測定する。選択部１４０は、測定部１２０の測定結果について、第１の運動および第２の運動のいずれか一方を選択し、選択結果を出力する。ここで第１の運動は、例えば無酸素運動であり、第２の運動は、例えば有酸素運動である。出力される情報は、無酸素運動の具体例や、有酸素運動の具体例であってもよい。測定装置１０は、例えば携帯型の装置であるが、据置型の装置であってもよい。【選択図】図１
2020009504.tif 000002
【特許請求の範囲】
【請求項１】
体液中の糖質濃度及び脂質濃度の少なくとも一方を測定する測定部と、
前記測定部の測定結果について、第１の運動および第２の運動のいずれか一方を選択し、選択結果を出力する選択部と、
を備える測定装置。
【発明の詳細な説明】
【技術分野】
【０００１】
本発明は、測定装置に関する。
【背景技術】
【０００２】
近年は健康に対する関心が高まっている。このため、ユーザの健康維持をサポートするための様々な機器やシステムが開発されている。
【０００３】
例えば特許文献１には、運動者の脈波データ、運動者の年齢、及び運動者の安静時の心拍数を用いて、運動者の運動状態が有酸素運動か無酸素運動かを判断する技術が記載されている。また特許文献２には、運動者の呼気中のアセトン濃度に基づいて、運動者への運動強度を算出することが記載されている。
【先行技術文献】
【特許文献】
【０００４】
【特許文献１】特開２００２−１５３４３０号公報
【特許文献２】特開２０１０−２６８８６４号公報
【発明の概要】
【発明が解決しようとする課題】
【０００５】
運動時に消費される物質には糖質と脂質があるが、これらのいずれが消費されるかは、運動の質（例えば有酸素運動又は無酸素運動）によって定まる。このため、糖質を消費すべきタイミングと、脂質を消費すべきタイミングとで運動の質を異ならせることが好ましい。しかし、運動者は、今どのような運動を行うべきかを判断しにくい。
【０００６】
本発明が解決しようとする課題としては、運動者が今どのような運動を行うべきかを判断しやすくすることが一例として挙げられる。
【課題を解決するための手段】
【０００７】
請求項１に記載の発明は、体液中の糖質濃度及び脂質濃度の少なくとも一方を測定する測定部と、
前記測定部の測定結果について、第１の運動および第２の運動のいずれか一方を選択し、選択結果を出力する選択部と、
を備える測定装置である。
【図面の簡単な説明】
【０００８】
【図１】実施形態に係る測定装置の機能構成を示すブロック図である。
【図２】測定部の第１例を示す図である。
【図３】測定部の第２例を示す図である。
【図４】測定部の第３例を示す図である。
【図５】測定部の第４例を示す図である。
【図６】選択部における選択ロジックの第１例を示す図である。
【図７】選択部における選択ロジックの第２例を示す図である。
【図８】選択部における選択ロジックの第３例を示す図である。
【図９】出力部が行う表示の例を示す図である。
【図１０】実施例１に係る測定装置の平面図である。
【図１１】実施例２に係る測定装置の構成を示す断面図である。
【図１２】測定装置が表示する画面の遷移の第１例を示す図である。
【図１３】測定装置が表示する画面の遷移の第２例を示す図である。
【図１４】測定装置が表示する画面の遷移の第３例を示す図である。
【図１５】実施例３に係る測定装置の使用環境を示す図である。
【図１６】測定装置が表示する画面の一例を示す図である。
【発明を実施するための形態】
【０００９】
以下、本発明の実施の形態について、図面を用いて説明する。尚、すべての図面において、同様な構成要素には同様の符号を付し、適宜説明を省略する。
【００１０】
以下に示す説明において、測定装置１０の各構成要素は、ハードウエア単位の構成ではなく、機能単位のブロックを示している。例えば測定部１２０は、センサと演算処理装置によって構成されている。また、選択部１４０及び測定部１２０に含まれている演算処理装置は、例えば任意のコンピュータのＣＰＵ又はマイコン、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１１】
図１は、実施形態に係る測定装置１０の機能構成を示すブロック図である。実施形態に係る測定装置１０は、測定部１２０及び選択部１４０を備えている。測定部１２０は、運動者の体液（例えば血液）中の糖質濃度及び脂質濃度の少なくとも一方を測定する。選択部１４０は、測定部１２０の測定結果について、第１の運動および第２の運動のいずれか一方を選択し、選択結果を出力する。ここで第１の運動は、例えば無酸素運動であり、第２の運動は、例えば有酸素運動である。出力される情報は、無酸素運動の具体例や、有酸素運動の具体例であってもよい。測定装置１０は、例えば携帯型の装置であるが、据置型の装置であってもよい。以下、詳細に説明する。
【００１２】
測定部１２０は、上記したように運動者の体液中の糖質濃度及び脂質濃度の少なくとも一方、好ましくは双方を測定する。測定部１２０は、非侵襲で糖質濃度及び脂質濃度を測定する。測定部１２０は、例えば発光部及び受光部を有している。受光部は、発光部からの光を運動者の体を介して受光する。そして測定部１２０は、受光部が受光した光の強度を用いて、体液における糖質濃度及び脂質濃度の少なくとも一方を測定する。例えば、糖質は波長が１．６μｍ近傍の光及び０．８μｍ近傍の光を吸収する。また、脂質は波長が１．２μｍ近傍の光及び０．６μｍ近傍の光を吸収する。このため、測定部１２０は、これらの波長域の光の吸収量を測定することにより、体液における糖質濃度及び脂質濃度を測定することができる。測定部１２０の動作タイミングは、例えば選択部１４０によって制御されている。測定部１２０の詳細な構成については、後述する。
【００１３】
選択部１４０は、測定部１２０における測定結果に基づいて、第１の運動および第２の運動のいずれか一方を選択し、選択結果を出力する。本図に示す例において、測定装置１０は出力部１６０を有している。出力部１６０は、例えばディスプレイやスピーカーであり、選択部１４０による選択結果を文字、映像、音声、又はその双方で出力する。これにより、測定装置１０のユーザは、自分が今どのような運動をすべきか容易に判断することができる。
【００１４】
図２は、測定部１２０の第１例を示す図である。本図に示す例において、測定部１２０は、発光部１２２、受光部１２４、スペクトル分析部１２６、及び濃度算出部１２９を有している。発光部１２２は、運動者の身体Ｆに向けて光を放射する。この光のスペクトル分布は、例えば１μｍから２μｍの範囲、又は０．５μｍから１μｍの範囲を含んでおり、脂質によって吸収される波長、及び糖質によって吸収される波長の双方を含んでいる。発光部１２２の光源は、例えばＬＥＤや有機ＥＬ素子である。受光部１２４は、発光部１２２が放射した光のうち身体Ｆを透過した光又は身体Ｆによって反射された光を検出する。受光部１２４は、例えば波長可変フィルタを有しており、広帯域の光の強度、すなわち光のスペクトル分布を検出することができる。そして、スペクトル分析部１２６は、受光部１２４が検出したスペクトル分布から、糖質に起因した吸収スペクトルの大きさ、及び脂質に起因した吸収スペクトルの大きさの少なくとも一方を検出する。そして濃度算出部１２９は、これら吸収スペクトルの大きさから、脂質濃度及び糖質濃度の少なくとも一方を算出する。
【００１５】
図３は、測定部１２０の第２例を示す図である。本図に示す例において、測定部１２０は、発光部１２２、第１波長フィルタ１２７、第２波長フィルタ１２８、第１受光部１３２、第２受光部１３４、及び濃度算出部１２９を有している。発光部１２２及び濃度算出部１２９の構成は、図２に示した例と同様である。第１波長フィルタ１２７は、糖質によって吸収される波長の光を透過し、その他の波長の光をカットする。第２波長フィルタ１２８は、脂質によって吸収される波長の光を透過し、その他の波長の光をカットする。第１受光部１３２は第１波長フィルタ１２７を透過してきた光の強度を検出し、第２受光部１３４は第２波長フィルタ１２８を透過してきた光の強度を検出する。そして濃度算出部１２９は、第１受光部１３２の検出値に基づいて体液中の糖質濃度を算出し、かつ、第２受光部１３４の検出値に基づいて体液中の脂質濃度を算出する。
【００１６】
なお、測定部１２０は、第１波長フィルタ１２７及び第１受光部１３２を有していなくてもよい。この場合、測定部１２０は、体液中の脂質濃度のみ算出する。また測定部１２０は、第２波長フィルタ１２８及び第２受光部１３４を有していなくてもよい。この場合、測定部１２０は、体液中の糖質濃度のみ算出する。
【００１７】
また、第１受光部１３２及び第２受光部１３４は、身体Ｆと第１受光部１３２及び第２受光部１３４の間ではなく、身体Ｆと発光部１２２の間に配置されていてもよい。さらに、第１受光部１３２及び第２受光部１３４は、身体Ｆと第１受光部１３２及び第２受光部１３４の間、並びに身体Ｆと発光部１２２の間の双方に設けられていてもよい。
【００１８】
図４は、測定部１２０の第３例を示す図である。本図に示す測定部１２０は、第１発光部１３１、第２発光部１３３、受光部１２４、及び濃度算出部１２９を有している。第１発光部１３１は糖質によって吸収される波長の光を放射し、第２発光部１３３は脂質によって吸収される波長の光を放射する。第１発光部１３１及び第２発光部１３３は、発光素子としてレーザ素子を有していてもよい。なお、選択部１４０は、第１発光部１３１及び第２発光部１３３の発光タイミングをずらす。
【００１９】
そして濃度算出部１２９は、第１発光部１３１が動作しているタイミングにおける受光部１２４の検出値を用いて、体液中の糖質濃度を算出する。また濃度算出部１２９は、第２発光部１３３が動作しているタイミングにおける受光部１２４の検出値を用いて、体液中の脂質濃度を算出する。
【００２０】
ここで、選択部１４０は、第１発光部１３１を発光させるとき、第１の周期で第１発光部１３１を点灯させるのが好ましい。また選択部１４０は、第２発光部１３３を発光させるとき、第１の周期とは異なる第２の周期で第２発光部１３３を発光させるのが好ましい。このようにすると、糖質を検出するときの受光部１２４の検出値は第１の周期を有することになり、脂質を検出するときの受光部１２４の検出値は第２の周期を有することになる。このため、選択部１４０の信号処理回路内に、第１の周期の信号を透過する周波数フィルタ（例えばデジタルフィルタ）及び第２の周期の信号を透過する周波数フィルタ（例えばデジタルフィルタ）を設け、これらフィルタを通った後の検出値を用いて糖質濃度や脂質濃度を算出すると、糖質濃度や脂質濃度の測定誤差を小さくすることができる。
【００２１】
また、第1発光部１３１だけが発光しているときに受光部１２４で受ける情報には糖質濃度に比例しており、次に第1発光部１３１を消灯して、第2発光部１３３だけが発光しているときに受光部１２４で受ける情報には脂質濃度に比例した情報が入っている。このため、第１発光部１３１と第２発光部１３３とを交互に発光させることも、有効な使用法である。
【００２２】
図５は、測定部１２０の第４例を示す図である。本図に示す測定部１２０は、第１波長フィルタ１２７及び第２波長フィルタ１２８を有している点を除いて、図４に示した測定部１２０と同様の構成である。第１波長フィルタ１２７は第１発光部１３１と受光部１２４の間に配置されており、第２波長フィルタ１２８は、第２発光部１３３と受光部１２４の間に配置されている。このようにすると、受光部１２４の検出値の精度は高くなり、その結果、糖質濃度や脂質濃度の測定誤差は小さくなる。
【００２３】
図６は、選択部１４０における選択ロジックの第１例を示している。本図に示す例において、選択部１４０は、糖質濃度のみを用いて、無酸素運動および有酸素運動の一方を選択している。具体的には、選択部１４０は、糖質濃度が第１基準値以上の場合は無酸素運動を選択し、糖質濃度が第１基準値未満の場合は有酸素運動を選択している。これは、糖質を消費するためには無酸素運動が好適なためである。
【００２４】
図７は、選択部１４０における選択ロジックの第２例を示している。本図に示す例において、選択部１４０は、脂質濃度のみを用いて、無酸素運動および有酸素運動の一方を選択している。具体的には、選択部１４０は、脂質濃度が第２基準値以上の場合は有酸素運動を選択し、脂質濃度が第２基準値未満の場合は有酸素運動を選択している。これは、脂質を消費するためには有酸素運動が好適なためである。
【００２５】
図８は、選択部１４０における選択ロジックの第３例を示している。本図に示す例において、選択部１４０は、糖質濃度及び脂質濃度の双方を用いて、無酸素運動および有酸素運動の一方を選択している。
【００２６】
具体的には、選択部１４０は、糖質濃度が第１基準値未満であり、かつ脂質濃度が第２基準値未満の場合、運動をやめて食事をとることを促す出力を行う。また選択部１４０は、糖質濃度が第１基準値以上であり、脂質濃度が第２基準値未満の場合、無酸素運動を選択する。また選択部１４０は、糖質濃度が第１基準値未満であり、脂質濃度が第２基準値以上の場合、有酸素運動を選択する。
【００２７】
また選択部１４０は、糖質濃度が第１基準値以上であり、かつ脂質濃度が第２基準値以上である場合、以下の出力を行う。まず、糖質濃度を第１基準値で規格化した値（第１規格値）が脂質濃度を第２基準値で規格化した値（第２規格値）より大きい場合、すなわち糖質濃度が脂質濃度よりも高い場合、選択部１４０は無酸素運動を選択する。一方、第１規格値が第２規格値以下であった場合、すなわち脂質濃度が糖質濃度よりも高い場合、選択部１４０は有酸素運動を選択する。
【００２８】
図９の各図は、出力部１６０が行う表示の例を示す図である。図９（ａ）は有酸素運動を推奨する画面の一例であり、図９（ｂ）は無酸素運動を推奨する画面の一例である。また図９（ｃ）は、糖質濃度及び脂質濃度の双方が低い場合（特に糖質濃度が低い場合）に食事を推奨する画面の一例である。
【００２９】
以上、本実施形態によれば、測定部１２０は、体液中の糖質濃度及び脂質濃度の少なくとも一方を測定する。そして選択部１４０は、測定部１２０における測定結果に基づいて、第１の運動および第２の運動のいずれか一方を選択し、選択結果を出力する。従って、測定装置１０のユーザは、自分が今どのような運動をすべきか容易に判断することができる。
【００３０】
（実施例１）
図１０は、実施例１に係る測定装置１０の平面図である。本実施例において、測定装置１０は携帯電話またはスマートフォンであり、筐体１５０を有している。筐体１５０の表面には、出力部１６０の一例としての表示部を有している。
【００３１】
また、筐体１５０の側面には、凹部１５４が設けられている。凹部１５４は、測定装置１０のユーザが測定装置１０を保持するときに、ユーザの指が嵌めこまれる。指は、例えば人差し指であるが、親指、中指、薬指、又は小指であってもよい。
【００３２】
そして、筐体１５０の側面のうち凹部１５４の内面に相当する領域には発光部１２２及び受光部１２４が配置されている。なお、発光部１２２の代わりに第１発光部１３１及び第２発光部１３３が配置されていてもよいし、受光部１２４の代わりに第１受光部１３２及び第２受光部１３４が配置されていてもよい。また、発光部１２２及び受光部１２４の配置は、図１０に示す例に限定されない。
【００３３】
本実施例において、ユーザは、運動を始める前に、測定装置１０を用いて自分が行うべき運動を認識する。これにより、ユーザは適切な運動を行うことができる。
【００３４】
（実施例２）
図１１は、実施例２に係る測定装置１０の構成を示す断面図である。本実施例において、測定装置１０は時計型の機器である。そして、測定装置１０の内面には発光部１２２及び受光部１２４が配置されている。また、測定装置１０の外面には、出力部１６０としての表示部及び音声出力部が設けられている。なお、発光部１２２の代わりに第１発光部１３１及び第２発光部１３３が配置されていてもよいし、受光部１２４の代わりに第１受光部１３２及び第２受光部１３４が配置されていてもよい。
【００３５】
本実施例において、ユーザは、運動を始める前に測定装置１０を腕に装着する。そして、運動を始める前、及び運動を行っている間の双方において、測定装置１０を用いて、自分が行うべき運動を認識する。例えば食事を行ってから時間が経っていない場合、体液中の糖質濃度は高いため、ユーザは無酸素運動を行うべきである。一方、無酸素運動を継続していくと、無酸素運動によって体液中の糖質濃度が減少し、有酸素運動に切り替えたほうが好ましくなる。ユーザは、測定装置１０を用いることにより、この切替タイミングを認識することができる。例えば測定装置１０の選択部１４０は、図８に示した基準に従って有酸素運動及び無酸素運動のいずれが好ましいかを運動中定期的に判断し続ける。そして無酸素運動から有酸素運動に切り替えるべきタイミングになった時、選択部１４０は、出力部１６０にその旨の出力を行わせる。これにより、ユーザは、適切なタイミングで無酸素運動から有酸素運動に切り替えることができる。
【００３６】
その他、測定装置１０の選択部１４０は、糖質濃度が第１基準値以下になり、かつ脂質濃度も第２基準値以下になった場合、運動を中止して食事を行うことを示す出力を出力部１６０に行わせることもできる。
【００３７】
図１２は測定装置１０が表示する画面の遷移の第１例を示す図である。本図に示す例において、ユーザは測定装置１０を装着しながら運動を行う。運動前の測定部１２０による測定結果は、実施形態の図８の（ｂ）に該当している。このため、測定装置１０は、まず、図１２（ａ）に示すように、無酸素運動を推奨する画面を表示する。そして測定装置１０のユーザが無酸素運動を行っていくと糖質濃度（血糖値）が下がっていき、その代わりに脂質が血液中に溶け出してきて脂質濃度が上がっていく。そして測定部１２０の測定結果が図８の（ｃ）に該当するようになると、測定装置１０は、図１２（ｂ）に示すように、有酸素運動を推奨する画面に切り替える。そして所定の条件を満たしたとき（例えば運動時間が所定の時間に達したとき）、測定装置１０は、図１２（ｃ）に示すように、運動を終了することを推奨する画面に切り替える。
【００３８】
図１３は、測定装置１０が表示する画面の遷移の第２例を示す図である。本図に示す例においても、ユーザは測定装置１０を装着しながら運動を行う。運動前の測定部１２０による測定結果は、実施形態の図８の（ｃ）に該当している。このため、測定装置１０は、まず、図１３（ａ）に示すように、有酸素運動を推奨する画面を表示する。そして測定装置１０のユーザが有酸素運動を行っていくと脂質濃度が下がっていく。すると測定装置１０は、図１３（ｂ）に示すように、有酸素運動を継続することを促す画面に切り替える。そして有酸素運動を一定時間継続すると、図１３（ｃ）に示すように、運動を終了することを促す画面を表示する。しかし、ユーザがさらに運動を継続し、測定部１２０の測定結果が図８の（ａ）に該当するようになると、測定装置１０は、図１３（ｄ）に示すように、運動を終了して食事をとることを促す画面に切り替える。
【００３９】
なお、マラソンやトライアスロン競技中など、通常の食事をとることが困難な場合は、飴や羊羹、スポーツドリンク等、気軽に血糖値を上げられる手法を表示することも有効である。このようにすると、競技中に血糖値不足で倒れることを防ぐことができる。その場合、本人が血糖値不足を認識できない場合を想定して、腕にはめた測定装置１０に点灯装置や音を出す装置を搭載し、点滅や音で本人及び周りの人に危険をお知らせするようにしても良い。
【００４０】
図１４は、測定装置１０が表示する画面の遷移の第３例を示す図である。これらの図において、測定装置１０の画面には、文章とともに、絵やキャラクター（例えば豚、鳥、おにぎりなど）も表示されている。そしてそのキャラクターの数は、糖質濃度や脂質濃度に比例している。これにより、ユーザは、現在の自分の糖質濃度や脂質濃度、すなわち運動の成果を直感的に把握することができる。またこの際、測定装置１０は、音声を出力してもよい。例えば脂質濃度に変化が生じた場合は「ぶーぶー」という音を出力し、糖質濃度に変化が生じた場合は「甘い甘い」という言葉を音声で出力してもよい。
【００４１】
（実施例３）
図１５は、実施例３に係る測定装置１０の使用方法を、その使用環境とともに示す図である。本実施例において、複数の測定装置１０は、通信網３０を介して同一の情報処理装置２０に接続している。複数の測定装置１０は、互いに異なるユーザに使用されている。そして、測定装置１０の使用結果（例えば測定装置１０を用いて運動した時間）が、情報処理装置２０に送信される。本図に示す例において、測定装置１０はユーザの体重を取得する機能も有している。
【００４２】
情報処理装置２０は、送信されたデータを用いて統計データを生成する。この統計データは、通信網３０を介して測定装置１０に送信される。
【００４３】
図１６は、本実施例において測定装置１０が表示する画面の一例を示している。上記したように、測定装置１０は、情報処理装置２０から統計データを受信する。測定装置１０は、この統計データを、測定装置１０のユーザの測定結果とともに表示する。本図に示す例では、統計データは、一日の累計平均運動時間と体重の減少量の相関を示している。測定装置１０のユーザは、この表示を見ることにより、他の人と比較して自分がどの位置にいるかを容易に把握することができる。
【００４４】
なお、図１６において、縦軸は体脂肪率の減少量であってもよい。この場合、測定装置１０には体脂肪率が入力される。
【００４５】
また、測定装置１０は、体重の減少量や体脂肪率の減少量が基準を満たさない場合、これらを減らすための対策方法、例えばこれらを改善するための食材及び習慣を表示してもよい。ここで表示される情報は、例えば情報処理装置２０によって測定装置１０に送信される。情報処理装置２０は、例えば、他のユーザによって効果が証明された食材及び習慣を測定装置１０に送信する。なお、この証明は、例えばユーザへのアンケート結果に基づいて行われる。
【００４６】
以上、本実施例によれば、ユーザは、運動を始める前に、測定装置１０を用いて自分が行うべき運動を認識する。これにより、ユーザは適切な運動を行うことができる。また、運動中にも測定装置１０は動作しているため、ユーザは、適切なタイミングで無酸素運動から有酸素運動に切り替えたり、運動を終了することができる。
【００４７】
以上、図面を参照して実施形態及び実施例について述べたが、これらは本発明の例示であり、上記以外の様々な構成を採用することもできる。
【符号の説明】
【００４８】
１０  測定装置
１２０  測定部
１２２  発光部
１２４  受光部
１３１  第１発光部
１３２  第１受光部
１３３  第２発光部
１３４  第２受光部
１４０  選択部
１６０  出力部
【図１】
2020009504.tif 000003
【図２】
2020009504.tif 000004
【図３】
2020009504.tif 000005
【図４】
2020009504.tif 000006
【図５】
2020009504.tif 000007
【図６】
2020009504.tif 000008
【図７】
2020009504.tif 000009
【図８】
2020009504.tif 000010
【図９】
2020009504.tif 000011
【図１０】
2020009504.tif 000012
【図１１】
2020009504.tif 000013
【図１２】
2020009504.tif 000014
【図１３】
2020009504.tif 000015
【図１４】
2020009504.tif 000016
【図１５】
2020009504.tif 000017
【図１６】
2020009504.tif 000018